(57)【要約】【課題】  通常表示を行わない理由を電力を消費することなくユーザーに知らせ、同理由の長時間表示による画面の焼き付きが生じない電子時計を提供する。【解決手段】  メモリー性の表示手段３と、表示手段を制御する制御手段とを備える電子時計１Ａであって、制御手段は、表示手段の表示モードを、通常表示を行う第１モードＳＴ１と、通常表示を行わない理由を所与の視覚表現によって表示する第２モードＳＴ２に切り替える表示モードの切り替え制御を行い、第１モードＳＴ１から第２モードＳＴ２への表示モードの切り替え制御は、第１モード時において電子時計の状態が所与の条件を満たした場合に行い、第２モード時においては、視覚表現を表示手段３に表示させ、理由表示位置変更条件を満たした場合に、視覚表現の位置を前回に表示させた位置から変更する。【選択図】図１
2011064554.tif 000002
【特許請求の範囲】
【請求項１】
メモリー性の表示手段と、前記表示手段を制御する制御手段とを備える電子時計であって、
前記制御手段は、
前記表示手段の表示モードを、通常表示を行う第１モードと、前記通常表示を行わない理由を所与の視覚表現によって表示する第２モードに切り替える表示モードの切り替え制御を行い、
前記第１モードから前記第２モードへの表示モードの切り替え制御は、前記第１モード時において電子時計の状態が所与の条件を満たした場合に行い、
前記第２モード時においては、前記視覚表現を前記表示手段に表示させる視覚表現表示処理を行い、理由表示位置変更条件を満たした場合に、前記視覚表現の位置を前回に表示させた位置から変更して前記視覚表現表示処理を行う、電子時計。
【請求項２】
請求項１に記載の電子時計において、
発電手段と、前記発電手段の発電状態を検出する発電検出手段と、前記発電検出手段で発電状態を検出できない非発電継続時間を測定する非発電継続時間測定手段とを備え、
前記制御手段は、
前記非発電継続時間測定手段で測定された非発電継続時間が予め設定された設定時間以上となった場合に前記所与の条件を満たしたものと判定し、
停止している理由を示す視覚表現で前記視覚表現表示処理を行う、電子時計。
【請求項３】
請求項１乃至２のいずれかに記載の電子時計において、
電源の電圧を検出する電源電圧検出手段とを備え、
前記制御手段は、
前記電源電圧検出手段で電源電圧が予め設定された設定電圧未満になったことが検出された場合に前記所与の条件を満たしたものと判定し、
電源電圧低下状態であることを示す視覚表現で前記視覚表現表示処理を行う、電子時計。
【請求項４】
請求項１乃至３のいずれかに記載の電子時計において、
時計の温度を検出する温度検出手段とを備え、
前記制御手段は、
前記温度検出手段で予め設定された設定温度範囲外になったことが検出された場合に前記所与の条件を満たしたものと判定し、
設定温度範囲外であることを示す視覚表現で前記視覚表現表示処理を行う、電子時計。
【請求項５】
請求項１乃至４のいずれかに記載の電子時計において、
前記制御手段は、
同一位置に前記視覚表現が継続して表示される時間が所与の時間を経過した場合に、前記理由表示位置変更条件を満たしたものと判定する、電子時計。
【請求項６】
請求項１乃至５のいずれかに記載の電子時計において、
前記制御手段は、
前記理由表示位置変更条件を満たした場合に、前記視覚表現の位置を前回の表示と重なることがないように前記視覚表現表示処理を行う、電子時計。
【請求項７】
請求項１乃至６のいずれかに記載の電子時計において、
前記表示手段は、
少なくとも第１色及び第２色を表示可能であり、
前記制御手段は、
前記第２モード時において、所与の復帰条件を満たした場合に、最初に第１色、次に第２色を前記表示手段の全面に表示させた後に第１モードに切り替える表示モードの切り替え制御を行う、電子時計。
【請求項８】
請求項１乃至７のいずれかに記載の電子時計において、
時刻を指示する指針を備え、
前記制御手段は、前記第２モード時において、前記指針の運針を停止させる、電子時計。
【発明の詳細な説明】
【技術分野】
【０００１】
本発明は、電子時計等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electro Phoretic Display）すなわち電気泳動表示装置や、メモリー性液晶表示装置等が知られている。
【０００３】
前記メモリー性表示パネルに時刻を表示する場合、電池電圧が低下しても時刻表示が保持されるが、その表示を更新できないために、時計を視認した際に誤った時刻を把握してしまうといった問題があった。そのため、電池電圧が低下した際に時刻表示を非表示にするといった措置がとられていた。
【０００４】
しかしながら、電池電圧が低下した場合に時刻表示を非表示にすると、ユーザーはなぜ時刻が表示していないかを容易に把握することができず、時計が故障していると誤解する場合があるという問題があった。
【０００５】
また、電池電圧の低下以外の理由で表示パネルの更新の停止があり得る場合、ユーザーはどの理由で時刻を非表示にしているのかがわからず、ユーザーが適切な対応ができないという問題があった。
【０００６】
これに対し、特許文献１の発明は、メモリー性を有する表示パネルを使用している場合には、パワーダウン状態になる前に略文字ＰＷＤを表示してから表示駆動の電源をオフする。このため、ユーザーは誤った時刻を把握することもなく、故障ではなくパワーダウンモードであることを知ることができる。
【先行技術文献】
【特許文献】
【０００７】
【特許文献１】特開２００９−１６２４８６公報
【発明の概要】
【発明が解決しようとする課題】
【０００８】
しかし、前記パワーダウンモードの状態は長時間に及ぶ場合があり、表示パネルにいわゆる「焼き付き」が生じる恐れがある。例えば電気泳動表示装置において固定パターンの文字や画像を同じ位置に表示した場合、比較的短時間の表示でも電荷負荷の残留により前記焼き付きによって像が残る場合がある（残像）。例えば、図１２（Ａ）は、電子時計１Ｄが前記パワーダウン状態で「ＰＯＷＥＲ  ＳＡＶＥ」の文字を表示パネル３に長時間表示させている状態を示している。図１２（Ｂ）は、その後に前記パワーダウン状態が解除された条件における表示状態を示す一例である。図１２（Ｂ）では、現在時刻が黒色で１０：１０と表示されるとともに、前記「ＰＯＷＥＲ  ＳＡＶＥ」の文字が薄い灰色で残像として視認できてしまう。この残像は、画面全体の書き換え等により、前記電荷負荷の残留をなくすことで解消し得る。しかし、前記固定パターンの文字や画像を長時間、又は繰り返し同じ位置に表示し続けた場合、前記電荷負荷の残留が固定化し、画面上の焼き付きとして像が残る場合がある。画面に焼き付きが生じた場合、完全に回復することは難しい。
【０００９】
特許文献１の発明の例では、前記の略文字ＰＷＤは固定位置に表示される固定パターンである。また、前記の略文字の表示には電力を消費しないため、バッテリー切れ等で自然に画面表示が変化（非表示化）するまでには時間がかかる。すなわち、固定パターンを同一位置に表示したままでパワーダウンモードが長時間に及び継続し得る。よって同モードにおいて、画面に焼き付きを生じるおそれがある。
【００１０】
本発明はこのような問題点に鑑みてなされたものである。本発明のいくつかの態様によれば、自発的なパワーセーブモードや電源電圧低下状態や低温・高温状態等によって通常表示を行わない場合に、表示に電力を消費することなくユーザーにその理由を知らせ、かつ、同理由の長時間の表示によって画面の焼き付きが生じないように表示制御を行う電子時計を提供することができる。
【課題を解決するための手段】
【００１１】
（１）本発明は、メモリー性の表示手段と、前記表示手段を制御する制御手段とを備える電子時計であって、前記制御手段は、前記表示手段の表示モードを、通常表示を行う第１モードと、前記通常表示を行わない理由を所与の視覚表現によって表示する第２モードに切り替える表示モードの切り替え制御を行い、前記第１モードから前記第２モードへの表示モードの切り替え制御は、前記第１モード時において電子時計の状態が所与の条件を満たした場合に行い、前記第２モード時においては、前記視覚表現を前記表示手段に表示させる視覚表現表示処理を行い、理由表示位置変更条件を満たした場合に、前記視覚表現の位置を前回に表示させた位置から変更して前記視覚表現表示処理を行う。
【００１２】
本発明によれば、通常表示を行わない場合に、電力消費を抑えつつその理由をユーザーに知らせ、かつ、同理由の長時間の表示によって画面の焼き付きが生じないように表示制御を行うことができる。
【００１３】
ここで、第１モードの通常表示とは、時刻表示を含む表示をいう。電子時計の表示モードは、通常は第１モードである。なお、メモリー性の表示装置では、前記時刻表示の各時刻情報（例えば時や分）の更新時のみ表示装置を作動し、次に更新されるまでは電力を供給せずにその表示を継続できる。従って、一般的な液晶表示装置のように、表示を維持する場合にも電力供給が必要な表示装置を用いる場合に比べて、メモリー性の表示装置を用いることで消費電力を大幅に低減できる。
【００１４】
また、第２モードは、前記通常表示を維持できない場合に用いられる表示モードである。前記通常表示を維持できない理由が生じた場合に、表示モードは、第１モードから第２モードへと切り替えられる。そして、メモリー性の表示手段に前記理由を示す視覚表現が表示される。前記視覚表現は、文字、メッセージ、画像、図形、模様、色彩、記号等のいずれか、又はこれらの組み合わせであってもよい。そして、第２モードにおいて、理由表示位置変更条件を満たした場合には位置を変更して視覚表現表示処理を行い、画面の焼き付きが生じないようにする。
【００１５】
（２）この電子時計において、発電手段と、前記発電手段の発電状態を検出する発電検出手段と、前記発電検出手段で発電状態を検出できない非発電継続時間を測定する非発電継続時間測定手段とを備え、前記制御手段は、前記非発電継続時間測定手段で測定された非発電継続時間が予め設定された設定時間以上となった場合に前記所与の条件を満たしたものと判定し、停止している理由を示す視覚表現で前記視覚表現表示処理を行ってもよい。
【００１６】
本発明によれば、発電検出手段で発電状態を検出できない期間、つまり非発電継続時間が設定時間（例えば２４時間）以上であるか否かにより第２モードへ切り替えるか否かを判定する。この際、制御手段は、メモリー性の表示手段にパワーセーブ中であることを表示させる。そして、ユーザーは、現在、パワーセーブ中であることを容易に把握でき、その状態を解消するために発電操作を行わせる等の適切な対応を行うことができる。
【００１７】
（３）この電子時計において、電源の電圧を検出する電源電圧検出手段とを備え、前記制御手段は、前記電源電圧検出手段で電源電圧が予め設定された設定電圧未満になったことが検出された場合に前記所与の条件を満たしたものと判定し、電源電圧低下状態であることを示す視覚表現で前記視覚表現表示処理を行ってもよい。
【００１８】
本発明によれば、第２モードに切り替える条件として、電源電圧が設定電圧未満に低下したかを判定する条件が設定されている。そして、電子時計がその条件に該当する場合、前記制御手段は、表示手段に電源電圧低下状態であることを表示させる。表示手段はメモリー性を有しているので、電力供給を行わなくても電源電圧低下状態であることを表示し続けることができる。このため、一次電池や二次電池からなる電源の電圧が低下した場合でもユーザーに対して電子時計の状態を知らせることができる。そして、ユーザーは、現在、電源電圧低下中であることを容易に把握でき、その状態を解消するために充電を行うなどの適切な対応を行うことができる。
【００１９】
（４）この電子時計において、時計の温度を検出する温度検出手段とを備え、前記制御手段は、前記温度検出手段で予め設定された設定温度範囲外になったことが検出された場合に前記所与の条件を満たしたものと判定し、設定温度範囲外であることを示す視覚表現で前記視覚表現表示処理を行ってもよい。
【００２０】
本発明によれば、第２モードに切り替える条件として、時計の温度が設定温度範囲外となったか否かを判定する条件が設定されている。そして、電子時計がその条件に該当する場合、前記制御手段は、表示手段に低温状態、又は高温状態であることを表示させる。表示手段はメモリー性を有しているので、電力供給を行わなくても低温状態、又は高温状態であることを表示し続けることができる。このため、例えば氷点下の外気中で時計が低温となった場合に、表示手段において電力を消費することなく、ユーザーに対して電子時計の状態を知らせることができる。そして、ユーザーは、現在、時計が低温になっていることを容易に把握でき、その状態を解消するために適切な対応、例えば室内への移動等を行うことができる。
【００２１】
（５）この電子時計において、前記制御手段は、同一位置に前記視覚表現が継続して表示される時間が所与の時間を経過した場合に、前記理由表示位置変更条件を満たしたものと判定してもよい。
【００２２】
本発明によれば、前記制御手段は、所与の時間を経過した場合に理由表示位置変更条件を満たしたと判定するので、前記所与の時間を超えて同じ位置に前記視覚表現が表示されることはない。よって、画面に焼き付きが生じることを一層防止できる。
【００２３】
（６）この電子時計において、前記制御手段は、前記理由表示位置変更条件を満たした場合に、前記視覚表現の位置を前回の表示と重なることがないように前記視覚表現表示処理を行ってもよい。
【００２４】
本発明によれば、前記制御手段は、理由表示位置変更条件を満たした場合に、前記視覚表現の位置を前回の表示と重ならないように制御する。ここで、前回の表示とは第２モードにおいて直前に表示されていた前記視覚表現の表示であってもよいし、直前だけに限らず複数回前の表示も含めてもよい。
【００２５】
前回の前記視覚表現の表示位置から変更して表示した場合にも、重なりあいにより累積的に同一位置に固定パターンが長時間表示されるおそれがある。前記視覚表現の表示が重複しないように制御することによって、より確実に画面に焼き付きが生じることを防止できる。
【００２６】
（７）この電子時計において、前記表示手段は、少なくとも第１色及び第２色を表示可能であり、前記制御手段は、前記第２モード時において、所与の復帰条件を満たした場合に、最初に第１色、次に第２色を前記表示手段の全面に表示させた後に第１モードに切り替える表示モードの切り替え制御を行ってもよい。
【００２７】
本発明によれば、制御手段は、所与の復帰条件、すなわち通常表示を行い得る条件が整った場合に第１モードへの切り替えを行うが、その通常表示の前に前記表示手段の全面を第１色にした後、第２色にするリセット動作を行ってもよい。
【００２８】
ここで、第１色と第２色とは、ＥＰＤ等のメモリー性の表示手段が最低限表示可能な基本色である２色である。例えば、二粒子系マイクロカプセル型の電気泳動方式では、分散液は無色透明、泳動粒子は白色又は黒色のものがある。この方式の電気泳動表示部は、白色又は黒色の２色を基本色として少なくとも２色を表示可能である。このとき、第１色として泳動粒子の一の色である黒色を割り当て、第２色として白色を割り当ててもよい。
【００２９】
本発明によれば、第１モードへと切り替えを行う前に、例えば全面を黒にした後に全面を白とする制御を行う。これにより、第２モードの表示において、例えばコントラストが低下していたり、残像・焼き付きを生じ得る表示がされていたりしても、全面を黒および白に書き換えるリセット動作により、コントラスト低下や残像・焼き付きを生じ得る表示の影響等を受けずに第１モード復帰後の通常表示を行うことができる。
【００３０】
（８）この電子時計において、時刻を指示する指針を備え、前記制御手段は、前記第２モード時において、前記指針の運針を停止させてもよい。
【００３１】
本発明によれば、指針時計部とデジタル表示手段を含む構成のコンビネーション時計等で、前記第２モード時の場合に指針の運針を停止すれば、消費電力をより低減できる。
【図面の簡単な説明】
【００３２】
【図１】第一実施形態における電子時計の表示例を示す図。
【図２】第一実施形態における表示モードの切り替えを示す状態遷移図。
【図３】第一実施形態における電子時計のブロック図。
【図４】第一実施形態における制御のフローチャート図。
【図５】第一実施形態における制御の外部入力処理についてのフローチャート図。
【図６】第二実施形態における電子時計の表示例を示す図。
【図７】第二実施形態における電子時計のブロック図。
【図８】第二実施形態における制御のフローチャート図。
【図９】第三実施形態における電子時計の表示例を示す図。
【図１０】第三実施形態における電子時計のブロック図。
【図１１】第三実施形態における制御のフローチャート図。
【図１２】図１２（Ａ）、図１２（Ｂ）は従来の電子時計の表示例を示す図。
【発明を実施するための形態】
【００３３】
以下、本発明の実施形態について図面を参照して説明する。なお、第２実施形態以降の説明において、第１実施形態と同様の構成については、同一符号を付し、説明を省略する。
【００３４】
１．第１実施形態
本発明の第１実施形態を図１〜図５を参照して説明する。
【００３５】
図１は、本実施形態の電子時計１Ａの正面図である。本実施形態においては、電子時計１Ａは表示モードとして２つのモードＳＴ１、ＳＴ２を有している。図１において、ＳＴ１は第１モード、ＳＴ２は第２モードの表示モードにおける電子時計１Ａの表示例を示している。
【００３６】
電子時計１Ａは、ケース２と、ＥＰＤ（電気泳動表示装置）３と、時針４Ａ、分針４Ｂ、秒針４Ｃからなる指針４を有する指針時計部５を含む。
【００３７】
ケース２には、操作を受け付ける受付手段として、ボタン６および７が設けられている。また、図1には図示はされていないが、指針時計部５には太陽電池２０が文字盤部分に埋設されている。この太陽電池２０は発電手段として機能し、光を受光して発電可能なように形成されている。
【００３８】
電子時計１Ａの動作モードは、通常において通常表示モードである。このとき、表示モードは時刻情報などの通常表示を行う第１モードである（図１のＳＴ１）。しかし、通常表示を維持できない理由が生じた場合に、その理由をユーザーに知らせるために、表示モードが第２モードに切り替わる（図１のＳＴ２）。通常表示を維持できない理由とは、例えば埋設された太陽電池が発電できない状態が続いたため、ＥＰＤ３で通常表示を行わないことで消費電力を抑えるパワーセーブモードになることである。
【００３９】
そして、第２モードにおいて、ＥＰＤ３に表示される前記理由の表示位置を、現在の位置から変更させるための条件（理由表示位置変更条件）が満たされると、その都度、前記理由を表す視覚表現のＥＰＤ３上の位置は変化する。この位置の変化により画面の焼き付きを防止することができる。理由表示位置変更条件とは、例えば前記視覚表現が現在の位置に表示されて所定時間が経過したことである。ただし、前記通常表示を維持できない理由が解消されれば、再び、時刻情報などの通常表示を行う第１モードに戻る（図１のＳＴ１）。
【００４０】
以下、前記表示モードＳＴ１、ＳＴ２のそれぞれについて説明を行う。なお、遷移条件ＴＣ１、ＴＣ２Ａ、ＴＣ２Ｂ、ＴＣ３Ａは、前記表示モードＳＴ１、ＳＴ２を切り替える条件である。これらの遷移条件については、後に図２を用いて説明する。
【００４１】
図１の第１モードＳＴ１は、電子時計１ＡがＥＰＤ３に通常表示を行う表示モードである。ここで、通常表示とは時刻表示を含む電子時計としての諸表示をいう。図１の第１モードＳＴ１に属する電子時計１Ａ（図１左上）のように、時刻情報のみならず、世界時計機能で選択されたロケーション（例えばＴＯＫＹＯ）をＥＰＤ３に表示してもよい。他にも、アラーム時刻や現在選択されている機能を表すアイコンなどを表示してもよい。
【００４２】
第１モードＳＴ１では、ＥＰＤ３に表示される時刻情報の表示は１分又は１時間毎に更新され、必要に応じてコントラストを保つリフレッシュ動作や、ＤＣバランスを保つための書き換え（例えば表示の反転）等も行われる。また指針時計部５による時刻表示も行われる。
【００４３】
図１の第２モードＳＴ２は、電子時計１ＡがＥＰＤ３に前記通常表示を行わない理由を所与の視覚表現によって表示する表示モードである。ここで、前記通常表示を行わない理由は、電力消費を抑えるために、電子時計１Ａが動作モードをパワーセーブモードに設定したことであるとする。このとき、図１の第２モードＳＴ２に属する電子時計１Ａ（図１右側）のように、パワーセーブモードであるため通常表示がされない旨を示す視覚表現（例えばＰＯＷＥＲ  ＳＡＶＥ）をＥＰＤ３に表示する。なお、前記視覚表現はメッセージや文章に限らず、文字、アイコン、図形、特定の色や光などであってもよい。
【００４４】
第２モードＳＴ２において、メモリー性を有する表示パネルであるＥＰＤ３は、前記視覚表現を表示した後、駆動信号（制御信号）の入力がなくても前記視覚表現を表示し続けられる。具体的には、ＥＰＤ３の駆動電極（例えば、セグメント電極や画素電極）および共通電極に電圧を印加せず、ハイインピーダンス状態のままにしておいても、前記視覚表現はＥＰＤ３に表示され続ける。よって、電子時計１Ａは、電力を消費することなく、通常表示を行わない理由を所与の視覚表現（例えばＰＯＷＥＲ  ＳＡＶＥ）でユーザーに知らせることができる。なお、ＥＰＤ３はリフレッシュ動作を行わなくても数日は表示を維持できる。なお、ＥＰＤ３の動作を停止したままにすることで生じてしまうコントラスト低下などの表示品質劣化を防止するために、リフレッシュ動作を行ってもよい。また、本実施形態において、第２モードＳＴ２では指針時計部５の運針は停止される。
【００４５】
本実施形態では、電子時計１Ａの表示モードＳＴ１、ＳＴ２の切り替え制御により、通常表示を行わない場合に、電力消費を抑えつつ、その理由をユーザーに知らせ、かつ、同理由の長時間の表示によってＥＰＤ３の焼き付きが生じないようにできる。
【００４６】
図２は、本実施形態の電子時計１Ａの表示モードの切り替えを示す状態遷移図である。前記表示モードの切り替えは、図３に示す表示制御回路１４、モーター駆動制御回路１８、停止時間カウンター２３などの制御手段によって行われてもよい。図２の第１モードＳＴ１、第２モードＳＴ２はそれぞれ図１のＳＴ１、ＳＴ２に対応する。
【００４７】
前述の通り、電子時計１Ａの表示モードは、通常において時刻情報などの通常表示を行う第１モードである（図２のＳＴ１）。しかし、通常表示を維持できない理由が生じた場合に、その理由をユーザーに知らせるために、表示モードが第２モードに切り替わる（図２のＳＴ２）。第２モードにおいては、画面の焼き付きを防止するために、理由表示位置変更条件が満たされる度に、前記理由の表示位置を変更する。そして、前記通常表示を維持できない理由が解消されれば、再び、時刻情報などの通常表示を行う第１モードに戻る（図２のＳＴ１）。
【００４８】
以下に、本実施形態における第１、第２モード間の遷移条件であるＴＣ１、ＴＣ３Ａと理由表示位置変更条件ＴＣ２について説明する。
【００４９】
電子時計１ＡがＥＰＤ３に通常表示を行う第１モードＳＴ１において、遷移条件ＴＣ１を満たした場合に、前記通常表示を行わない理由を所与の視覚表現によって表示する第２モードＳＴ２へと遷移する。遷移条件ＴＣ１は、例えば電子時計１Ａの発電状態を検出できない非発電継続時間が予め設定された設定時間（例えば２４時間）以上になることでもよいし、電子時計１Ａの電源電圧が予め設定された設定電圧未満になることでもよいし、電子時計１Ａの温度が予め設定された設定温度範囲外になることでもよい。
【００５０】
第２モードＳＴ２において、遷移条件ＴＣ３Ａを満たした場合には、第１モードＳＴ１に遷移する。遷移条件ＴＣ３Ａは、第２モードＳＴ２に遷移した理由が解消されることでもよい。例えば、発電状態を検出できない状態の継続、電源電圧の低下、温度の設定温度範囲外となったこと、といった第２モードＳＴ２へ遷移した理由が解消されることで、通常表示を行う第１モードＳＴ１に遷移してもよい。
【００５１】
第２モードＳＴ２において、理由表示位置変更条件ＴＣ２を満たした場合には、表示モードは第２モードＳＴ２のままで、前記視覚表現の表示位置を変更してもよい。理由表示位置変更条件ＴＣ２は、例えば、同一位置に前記視覚表現が継続して表示される時間が所与の時間を経過することでもよいし、ボタン６、７（図１）などの入力手段によって所定の操作が行われることでもよい。なお、理由表示位置変更条件ＴＣ２は図１のＴＣ２Ａ、ＴＣ２Ｂに対応する。
【００５２】
理由表示位置変更条件ＴＣ２を満たした場合には、前記視覚表現の表示位置が変更されるので、画面の焼き付きを防止することができる。この表示位置の変更は、前記視覚表現の一部が重なっている場合も含むが、特に、前回の表示とは重なりのない位置に表示位置を変更した場合には（例えば、図１のＳＴ２参照）、前回の表示はすべて消去されるために画面の焼き付き防止の効果が高い。さらに前回の表示として、直前だけでなく、直前及びそれ以前の表示も含むならば、さらに画面の焼き付き防止に効果がある。
【００５３】
図３は、本実施形態における電子時計１Ａのブロック図を表す。前記の表示モードの切り替えは、例えば図３の構成によって実現可能である。
【００５４】
電子時計１Ａは、図３に示すように、発振回路１１、分周回路１２、計時カウンター１３、表示制御回路１４、ＥＰＤ３、ボタン６、７で入力されるスイッチ１５、１６、時刻修正回路１７、モーター駆動制御回路１８、指針４を駆動するステップモーター１９、太陽電池２０、発電検出回路２１、タイマー２２、停止時間カウンター２３、充電制御回路２４、二次電池２５を備えている。
【００５５】
発振回路１１は、水晶振動子やセラミック振動子等の基準発振源を高周波発振させ、基準発振信号を生成する。
【００５６】
分周回路１２は、発振回路１１で生成された基準発振信号を分周して所定の基準信号（例えば、１Ｈｚの信号）を生成する。
【００５７】
計時カウンター１３は、分周回路１２で生成された基準信号をカウントして現時刻を計時する。また、計時カウンター１３は、時刻修正回路１７から入力される時刻修正信号に基づいて、カウンター値つまり現時刻情報を修正する。
【００５８】
表示制御回路１４は、表示モードが第１モードＳＴ１であると判断した場合には、計時カウンター１３で計時された現時刻の情報に基づいてＥＰＤ３の表示を制御して通常表示を行う。
【００５９】
また、表示制御回路１４は、通常表示を維持できない事を伝える信号（例えば、パワーセーブ移行信号）に基づいて、表示モードが第２モードＳＴ２であると判断した場合には、ＥＰＤ３に視覚表現を表示させてユーザーに通常表示を行わない理由を知らせる。
【００６０】
そして、表示制御回路１４は、表示モードが第２モードＳＴ２になってから理由表示位置変更条件ＴＣ２を満たした判断した場合には（例えば、所定時間経過や外部入力操作）、ＥＰＤ３の視覚表現の表示位置を変更する表示制御を行って、画面の焼き付きを防止する。
【００６１】
また、表示制御回路１４は、電子時計１Ａの状態を知らせる入力信号（例えば、通常表示モード復帰信号）に基づいて、表示モードが第２モードから第１モードへと復帰したと判断した場合にも、計時カウンター１３で計時された現時刻の情報に基づいてＥＰＤ３の表示を制御して通常表示を行う。
【００６２】
スイッチ１５、１６は、ボタン６、７を押した際にそれぞれ入力される。すなわち、スイッチ１５、１６は、ボタン６、７の入力を検出する入力検出手段である。
【００６３】
時刻修正回路１７は、各スイッチ１５、１６からの信号、つまり各ボタン６、７の入力操作に基づき、時刻修正信号を計時カウンター１３、モーター駆動制御回路１８に出力する。
【００６４】
各スイッチ１５、１６からの信号は、表示制御回路１４にも入力される。表示制御回路１４は、各ボタン６、７の所定の操作を検出し、表示モードが第２モードＳＴ２である場合に理由表示位置変更条件ＴＣ２を満たしたと判定してもよい。ボタン６、７の所定の操作とは、例えば、ボタン６を２回押した後にボタン７を１回押すといったユーザーによる操作をいうが、このような例に限らない。
【００６５】
表示モードが第１モードである場合には指針時計部５の時刻表示更新のために、モーター駆動制御回路１８は、分周回路１２で生成された基準信号に基づいてステップモーター１９にモーター駆動パルスを出力し、指針４をステップ運針する。
【００６６】
また、モーター駆動制御回路１８は、時刻修正回路１７からの時刻修正信号を受け取り、ステップモーター１９にモーター駆動パルスを出力し、指針４の指示を修正する。
【００６７】
充電制御回路２４は、太陽電池２０で発電された電力を二次電池２５に充電する制御を行う。
【００６８】
発電検出回路２１は、太陽電池２０における発電状態を検出し、太陽電池２０が発電状態である際に発電検出信号をタイマー２２に出力する。従って、発電検出回路２１により本実施形態の発電検出手段が構成される。
【００６９】
タイマー２２は、計時カウンター１３から出力される時刻信号に基づいて経過時間を計測する。具体的には、タイマー２２は、計時カウンター１３から１分毎、つまり分桁上げがあった場合に出力される信号を受けてカウントアップし、２４時間までの経過時間を計測できるように構成されている。
【００７０】
そして、タイマー２２は、発電検出回路２１から発電検出信号が出力されるとリセットされる。このため、タイマー２２は、発電が行われていない期間をカウントすることになる。従って、タイマー２２により、本発明の非発電計測時間測定手段が構成される。
【００７１】
また、タイマー２２は、計測した時間が予め設定された時間、本実施形態では２４時間になると、電子時計１Ａの動作モードをパワーセーブモードに移行するためのパワーセーブ移行信号を出力し、また、発電検出回路２１から発電検出信号が入力されてリセットされると動作モードを通常表示モードに復帰するための通常表示モード復帰信号を出力する。
【００７２】
ここで、前記パワーセーブ移行信号は、表示モードを第２モードに切り替える信号として表示制御回路１４に入力される。すなわち、前記パワーセーブ移行信号により遷移条件ＴＣ１が満たされる。そして、表示制御回路１４は、ＥＰＤ３にパワーセーブ中であることを示す「ＰＯＷＥＲ  ＳＡＶＥ」というメッセージ（視覚表現）を表示させる。
【００７３】
また、前記通常表示モード復帰信号は、表示モードを第１モードＳＴ１に切り替える信号として表示制御回路１４に入力される。すなわち、前記通常表示モード復帰信号により遷移条件ＴＣ３Ａが満たされる。そして、表示制御回路１４は、ＥＰＤ３に時刻などの通常時の情報を表示させる。
【００７４】
なお、パワーセーブ移行信号はモーター駆動制御回路１８にも入力される。そして、駆動制御回路１８は、モーター駆動信号の出力を停止し、ステップモーター１９の駆動、つまり指針４の運針を停止する。これにより、電力の消費を更に抑えることができる。
【００７５】
停止時間カウンター２３は、タイマー２２からパワーセーブ移行信号が出力されると、分周回路１２からの基準信号をカウントして停止時間をカウントする。そして、タイマー２２から通常表示モード復帰信号が入力されると、停止時間のカウントを中止する。
【００７６】
このカウントされた停止時間は停止時間情報として表示制御回路１４に入力される。
【００７７】
また、表示制御回路１４は、前記停止時間で１０分の桁上げがあったと判断した場合には、理由表示位置変更条件ＴＣ２を満たしたとして、その都度ＥＰＤ３の前記視覚表現の表示位置を変更する表示制御を行う。
【００７８】
また、前記通常表示モード復帰信号と停止時間情報はモーター駆動制御回路１８にも入力される。前記通常表示モード復帰信号により、モーター駆動制御回路１８は前記停止時間情報に基づいてステップモーター１９を早送りし、運針を停止していた指針４を現時刻に修正する。
【００７９】
このように、本実施形態の制御手段は、表示制御回路１４、モーター駆動制御回路１８、停止時間カウンター２３を備えて構成される。
【００８０】
なお、ＥＰＤ３は、本実施形態では、黒色の電気泳動粒子と白色の電気泳動粒子が分散した電気泳動粒子分散液がマイクロカプセルに封入された二色の粉体流体方式の電気泳動層を用いている。よって、少なくとも、第１色として黒色を、また、第２色として白色を表示することができる。なお、ＥＰＤ３の表示方式はセグメント方式でも、ＴＦＴ回路などを用いたドットマトリクス方式でもよい。
【００８１】
図４は、本実施形態の電子時計１Ａの制御のフローチャート図である。
【００８２】
電子時計１Ａは、まず、発電検出回路２１によって太陽電池２０で発電が行われているかを検出する（Ｓ１０）。太陽電池２０で発電が行われていると充電制御回路２４を介して二次電池２５が充電される。
【００８３】
Ｓ１０で発電が検出されると、発電検出回路２１はタイマー２２に発電検出信号を出力する。
【００８４】
そして、タイマー２２は、タイマー２２で計測している時間が２４時間になっているか否かを判定する（Ｓ１２）。
【００８５】
タイマー２２が２４時間になっていない場合は、電子時計１Ａの動作モードは通常表示モードのままである。よって表示モードとしては、通常表示を行う第１モードＳＴ１が継続して実行される。具体的には、表示制御回路１４は、計時カウンター１３からの情報に基づき、ＥＰＤ３で現在時刻を表示する（Ｓ１４）。また、停止時間カウンター２３において停止時間がカウントされていた場合、つまり動作モードがパワーセーブモードから通常表示モードに復帰した場合には、モーター駆動制御回路１８は停止時間カウンター２３からの情報に基づき、停止していた時間分だけステップモーター１９を駆動し、運針を停止していた指針４を、現在時刻を指示する位置まで移動する（Ｓ１６）。なお、停止時間カウンター２３は、Ｓ１６の処理が行われるとリセットされる。
【００８６】
また、タイマー２２は、Ｓ１０で発電検出があった場合は、Ｓ１２で「Ｙｅｓ」、「Ｎｏ」のいずれの場合もタイマーをリセットする（Ｓ１８）。
【００８７】
次に、計時カウンター１３は、分周回路１２から基準信号（例えば１Ｈｚ）の入力があったか、つまり秒カウントがあるかを判定する（Ｓ２０）。
【００８８】
なお、Ｓ１０で発電検出が無かった場合は、Ｓ１２、Ｓ１４、Ｓ１６、Ｓ１８は処理されず、秒カウントの判定処理Ｓ２０が行われる。
【００８９】
Ｓ２０で秒カウントがなかった場合は、サブルーチン外部入力処理Ｓ５０が実行され、その後処理が続行される。外部入力処理Ｓ５０については後に説明する。
【００９０】
一方、Ｓ２０で秒カウントがあった場合、つまり基準信号が入力された場合、計時カウンター１３はカウントアップする（Ｓ２２）。
【００９１】
次に、タイマー２２は、現在のカウント時間が２４時間になっているかを確認する（Ｓ２４）。
【００９２】
ここで、タイマー２２が２４時間になっている場合には、電子時計１Ａの動作モードはパワーセーブモード状態にある。このとき、パワーセーブモード信号が出力されるため、停止時間カウンター２３は分周回路１２からの基準信号に基づいてカウントアップする（Ｓ２６）。つまり、停止時間カウンター２３では、パワーセーブモードになってからの継続時間がカウントされる。また、パワーセーブモード信号は、表示制御回路１４へも入力されて表示モードにも影響を与える。動作モードがパワーセーブモードである場合には、表示モードは後述する処理により第２モードＳＴ２の状態となる。
【００９３】
一方、Ｓ２４でタイマー２２が２４時間になっていない場合には、電子時計１Ａの動作モードは通常表示モードである。よって、モーター駆動制御回路１８はステップモーター１９を１ステップ駆動し、指針４を運針する（Ｓ２８）。従って、指針４の秒針４Ｃは１秒毎のステップ運針により駆動される。
【００９４】
次に、計時カウンター１３は分桁上げが行われたか否かを判定する（Ｓ３０）。すなわち、計時カウンター１３の秒カウンターが６０秒に達し、分カウンターをカウントアップした時点で、分桁上げが行われたと判定される。
【００９５】
ここで、分桁上げが行われなかった場合、Ｓ１０に戻り、上記の処理を繰り返す。
【００９６】
一方、Ｓ３０で分桁上げが行われた場合、再び、タイマー２２は、現在のカウント時間が２４時間になっているかを確認する（Ｓ３２）。
【００９７】
Ｓ３２でタイマー２２が２４時間になっていない場合には、電子時計１Ａは通常表示モードである。計時カウンター１３は分カウント信号をタイマー２２に出力する。タイマー２２は、分カウント信号に基づきカウントアップする（Ｓ３４）。すなわち、タイマー２２は、１分毎にカウントアップし、発電が行われていない経過時間をカウントする。
【００９８】
次に、タイマー２２が２４時間に達したかを確認する（Ｓ３６）。タイマー２２は、２４時間に達していると、表示制御回路１４にパワーセーブ移行信号を出力する。これにより、表示モードは第２モードＳＴ２に切り替えられ、表示制御回路１４は、ＥＰＤ３に「パワーセーブ中」であることを示す視覚表現（例えばＰＯＷＥＲ  ＳＡＶＥ）を表示する（Ｓ３８）。そして、Ｓ１０に戻り、フローチャート図に従い処理を繰り返す。
【００９９】
一方、Ｓ３６で２４時間に達していない場合、表示モードは第１モードＳＴ１であり、表示制御回路１４はＥＰＤ３に現在時刻の表示を更新する（Ｓ４０）。すなわち、表示制御回路１４はＥＰＤ３に現在の時分を表示し、その表示を更新する。そして、Ｓ１０に戻り、フローチャート図に従い処理を繰り返す。
【０１００】
ここで再びＳ３２に戻る。Ｓ３２でタイマー２２が２４時間になっている場合には、動作モードはパワーセーブモードである（Ｓ３２のＹ）。前記の通り、タイマー２２が２４時間に達して（Ｓ３６のＹ）、表示制御回路１４にパワーセーブ移行信号が入力された場合に、表示モードは第２モードＳＴ２へと切り替えられる。そして、停止時間カウンター２３で１０分の桁上げがあった場合には（Ｓ４６のＹ）、理由表示位置変更条件ＴＣ２を満たしたとして、表示制御回路１４はＥＰＤ３における視覚表現（例えばＰＯＷＥＲ  ＳＡＶＥ）の表示位置を変更する（Ｓ４８）。そして、Ｓ１０に戻り処理を繰り返す。
【０１０１】
また、Ｓ４６において１０分の桁上げがなかった場合も、Ｓ１０に戻り処理を繰り返す。
【０１０２】
図５は、本実施形態の電子時計１Ａの外部入力処理についてのフローチャート図である。Ｓ２０で秒カウントが無い場合には、外部入力に対する処理Ｓ５０を行い、Ｓ１０に戻り処理を繰り返す。
【０１０３】
外部入力とは、本実施形態では、ボタン６又は７の一方、又は両方を用いた所定の入力操作を言い、スイッチ１５、１６によって検出されて内部信号として表示制御回路１４に入力される。表示制御回路１４は、前記外部入力があったと判断した場合には（Ｓ５００のＹ）、タイマー２２が２４時間になっているならば（Ｓ５０２のＹ）、理由表示位置変更条件ＴＣ２が満たされたと判断する。具体的には、前回表示された位置と異なる位置に視覚表現（例えばＰＯＷＥＲ  ＳＡＶＥ）を表示する（Ｓ５０４）。
【０１０４】
前記外部入力が無かった場合（Ｓ５００のＮ）やタイマー２２が２４時間になっていなかった場合（Ｓ５０２のＮ）、又は前記視覚表現の表示位置の変更（Ｓ５０４）の終了後は、その他外部入力に割り当てられている所定の処理（Ｓ５０６）を行い、図４のＳ１０に戻り、フローチャートの処理を繰り返す。ここで、所定の処理とは、例えば表示の反転処理やリフレッシュ動作などをいう。
【０１０５】
以下に、図４および図５のステップ番号を用いて、本実施形態における各表示モードの流れを説明する。
【０１０６】
まず、図４のＳ１２、Ｓ２４、Ｓ３２、Ｓ３６および図５のＳ５０２の条件中にある「タイマー２２で計測している時間が２４時間になっているか否か」は、「電子時計１Ａの動作モードがパワーセーブモードか通常表示モードか」を判定している。すなわち、タイマー２２で計測している時間が２４時間でない場合には、電子時計１Ａの動作モードは通常表示モードである。そして、タイマー２２で計測している時間が２４時間である場合には、電子時計１Ａの動作モードはパワーセーブモードである。
【０１０７】
また、電子時計１Ａの動作モードが通常表示モードである場合には、表示モードは通常表示を行う第１モードである。また、電子時計１Ａの動作モードがパワーセーブモードに変化すると、表示モードは第１モードから第２モードへと切り替わる。以下の表示モードの流れの説明では、動作モードが変化しない場合には、タイマー２２の計測値が２４時間であるか否かの判定（Ｓ１２、Ｓ２４、Ｓ３２、Ｓ３６、Ｓ４２、Ｓ５０２）については詳細な説明を省略する。
【０１０８】
最初に、通常表示を行う第１モードの流れを説明する。太陽電池２０で発電が行われている場合（Ｓ１０のＹ）、動作モードは通常表示モードであるので（Ｓ１２のＮ）、Ｓ１４およびＳ１６の処理を行う。ここで、Ｓ１４およびＳ１６は動作モードがパワーセーブモードから通常表示モードに変化した直後、すなわち第１モードに復帰した直後に必要な動作であり、ＥＰＤ３に時刻を表示し（Ｓ１４）、運針を停止していた指針４を現在時刻の位置まで移動させる（Ｓ１６）。第１モードに復帰した直後でなければ、Ｓ１４およびＳ１６の処理はＥＰＤ３の表示、指針４の位置を変化させない。
【０１０９】
その後、太陽電池２０で発電が行われない時間を計測するタイマー２２をリセットする（Ｓ１８）。
【０１１０】
秒桁上げ（秒カウント）は１秒に１度しか実施されないので、その間に秒カウントは行われず（Ｓ２０のＮ）、外部処理入力を受け付けるサブルーチンを処理する（Ｓ５０）。しかし、仮に外部入力があっても（Ｓ５００のＹ）、動作モードは通常表示モードであるので（Ｓ５０２のＮ）、再びＳ１０に戻る。
【０１１１】
秒桁上げが行われた場合は（Ｓ２０のＹ）、計時情報である計時カウンターを更新する（Ｓ２２）。そして、指針時計部の秒針を進める（Ｓ２４のＮ、Ｓ２８）。
【０１１２】
また、分桁上げは６０秒に１度しか実施されないので、その間に分桁上げはなく（Ｓ２０のＮ）、再びＳ１０に戻る。
【０１１３】
分桁上げが行われた場合は（Ｓ３０のＹ）、タイマー２２をカウントアップする（Ｓ３２のＮ、Ｓ３４）。そして、通常表示である時刻表示を更新して（Ｓ３６のＮ、Ｓ４０）、Ｓ１０に戻る。
【０１１４】
次に、表示モードが第１モードから第２モードへ変化する流れを説明する。このとき、前提として太陽電池２０で発電が行われていない状態が継続しているものとする。（Ｓ１０のＮ）すると太陽電池２０で発電が行われない時間を計測するタイマー２２はリセットされず（Ｓ１８）、値はカウントアップされる。ここで、前記タイマー２２の計測値が現在２３時間５９分になっているとする。
【０１１５】
秒カウントがされない間は（Ｓ２０のＮ）、外部処理入力を受け付けるサブルーチン（Ｓ５０）を経由して（Ｓ５０２のＮ）、再びＳ１０の「Ｎｏ」からＳ２０に戻る。秒桁上げがあった場合（Ｓ２０のＹ）、Ｓ２２、Ｓ２４の「Ｎｏ」、Ｓ２８を経由して分桁上げの有無を判断する（Ｓ３０）。
【０１１６】
分桁上げがされない間は（Ｓ３０のＮ）、Ｓ１０に戻り、前記の経路で再びＳ３０に到達する。そして、分桁上げがあると（Ｓ３０のＹ）、タイマー２２がカウントアップされて（Ｓ３２のＮ、Ｓ３４）、タイマー２２の測定値は２４時間になる（Ｓ３６）。
【０１１７】
このとき、電子時計１Ａの動作モードは、通常表示モードからパワーセーブモードに変化する。そして、表示制御回路１４は、タイマー２２から出力されるパワーセーブ移行信号を受け取って、表示モードが第１モードから第２モードへと切り替わったと判断して理由表示を行う（Ｓ３８）。そして、再びＳ１０に戻る。
【０１１８】
次に、第２モードで理由表示位置変更条件を満たした場合を説明する。このとき、前提として太陽電池２０で発電が行われていない状態が継続しているものとする（Ｓ１０のＮ）。するとタイマー２２はリセットされず（Ｓ１８）、計測値は２４時間のままである。
【０１１９】
秒桁上げ信号、又は分桁上げ信号がない場合（Ｓ２０のＮ、Ｓ３０のＮ）にＳ１０に戻ることは、前記と同様であるため説明を省略する。秒桁上げ信号、および分桁上げ信号がある場合に、計時カウンターと停止時間カウンターをカウントアップしてＳ４２に至る（Ｓ２０のＹ、Ｓ２２、Ｓ２４のＹ、Ｓ２６、Ｓ３０のＹ、Ｓ３２のＹ）。
【０１２０】
そして、表示制御回路１４は、停止時間カウンター２３が１０分の桁上げを行う毎に、理由表示位置変更条件を満たしたと判断して（Ｓ４６のＹ）、ＥＰＤ３の視覚表現（例えばＰＯＷＥＲ  ＳＡＶＥ）の表示位置を変更する。その後、Ｓ１０へと戻る。なお、停止時間カウンター２３が１０分の桁上げを行わない場合もＳ１０へと戻る。
【０１２１】
次に、表示モードが第２モードであり、外部入力操作があった場合を説明する。外部入力は、１秒に１度の秒桁上げがない場合、すなわち秒カウントがされない限りは（Ｓ２０のＮ）、図５で示した外部入力処理Ｓ５０で処理される。つまり、その間は外部入力操作を受け付ける。
【０１２２】
秒桁上げがない場合には、第２モードのまま、Ｓ１０の「Ｎｏ」、Ｓ２０の「Ｎｏ」、Ｓ５０というループを繰り返し、外部入力操作を待つことになる。
【０１２３】
このとき、所定の外部入力操作があれば、図５のＳ５００の「Ｙｅｓ」およびＳ５０２の「Ｙｅｓ」の判断を行い、外部入力によって理由表示位置変更条件を満たしたと判断して、前回の表示位置とは異なる位置にパワーセーブ中を示す視覚表現を表示する（Ｓ５０４）。そして、必要ならばその他の処理を行い（Ｓ５０６）、図４のＳ１０に戻る。
【０１２４】
そして、表示モードが第２モードであって、太陽電池２０で発電が再開された場合には、Ｓ１０の「Ｙｅｓ」、Ｓ１２の「Ｙｅｓ」を経て、タイマーがリセットされる（Ｓ１８）。そして、タイマー２２から通常表示モード復帰信号が表示制御回路１４に入力されることにより、表示モードは第１モードになる。
【０１２５】
２．第２実施形態
本発明の第２実施形態を図６〜図８を参照して説明する。なお、第１実施形態と同様の構成については、同一符号を付して説明を省略し、相違する部分について説明する。
【０１２６】
図６は、本実施形態の電子時計１Ｂの図である。第１実施形態（図１）と異なり、表示モードとしてリセットモードＳＴＲを含む。リセットモードは、第２モードＳＴ２から通常表示を行う第１モードＳＴ１に切り替える前に、リセット処理を行うモードである。
【０１２７】
リセットモードＳＴＲは、ＥＰＤ３の全体を黒色で表示し、その後全面を白色で表示する全画面のリセット処理である。このとき、最初に白色を表示し、その後に黒色を表示してもよい。
【０１２８】
本実施形態では、第２モードから第１モードへの復帰条件を満たした場合には、表示モードは、リセットモードＳＴＲを経て第１モードに切り替わる（ＴＣ３Ｂ、ＴＣ３Ｃ、ＴＣ３Ｄ）。このとき、リセットモードＳＴＲから第１モードＳＴ１への遷移条件ＴＣ３Ｄは、リセットモードのリセット処理が完了することであり、必然的に第１モードＳＴ１に遷移する。
【０１２９】
第２モードＳＴ２の表示において、例えばコントラストが低下していたり、残像・焼き付きを生じ得る表示がされていたりしても、リセットモードＳＴＲで全面を黒および白に書き換えるリセット処理を行うことにより、コントラスト低下や残像・焼き付きを生じ得る表示の影響等を受けずに第１モード復帰後の通常表示を行うことができる。
【０１３０】
また、図６では第１実施形態（図１）と異なり、電圧低下により通常表示を行わない状況を示している。第２モードＳＴ２は、電圧低下が理由であることを示す視覚表現（例えばＢＡＴＴ  ＬＯＷ）がＥＰＤ３に表示されていることを表している。
【０１３１】
図７は、本実施形態における電子時計１Ｂのブロック図を表す。第２実施形態では、図７に示すように、電池電圧検出回路３１、表示停止モード制御回路３２を設けている。なお、発電検出回路２１、タイマー２２を有していてもよいが、説明の都合上、図７では省略してある。
【０１３２】
電池電圧検出回路３１は、二次電池２５の電圧を検出するものであり、二次電池２５の電圧が予め設定された閾値を超えているか否かを判定し、その判定信号を出力する。従って、電池電圧検出回路３１により本発明の電源電圧検出手段が構成される。
【０１３３】
表示停止モード制御回路３２は、電池電圧検出回路３１から出力された判定信号に基づいて、各表示制御回路１４、モーター駆動制御回路１８、停止時間カウンター２３に対してパワーセーブモードへの移行を指示するパワーセーブ移行信号と、通常表示モードへの復帰を指示する通常表示モード復帰信号を出力する。
【０１３４】
従って、第２実施形態では、制御手段は、表示制御回路１４、モーター駆動制御回路１８、停止時間カウンター２３、表示停止モード制御回路３２を備えて構成される。
【０１３５】
なお、電池電圧検出回路３１、表示停止モード制御回路３２はそれぞれ分周回路１２からの基準信号（例えば１Ｈｚ）が入力されるごとに駆動される。従って、電池電圧の検出処理および表示モードの判定および設定処理は１秒間隔でサンプリング処理される。
【０１３６】
次に、電子時計１Ｂの制御方法に関し、図８を用いて説明する。
【０１３７】
電子時計１Ｂは、まず分周回路１２から基準信号（例えば１Ｈｚ）の入力があったか、つまり秒カウントがあるかを判定する（Ｓ２０）。Ｓ２０で秒カウントがなかった場合は、Ｓ２０に戻り、処理が続行される。
【０１３８】
一方、Ｓ２０で秒カウントがあった場合、つまり基準信号が入力された場合、計時カウンター１３はカウントアップする（Ｓ２２）。
【０１３９】
次に、電子時計１Ｂは、パワーセーブモードであるか否かを判定する（Ｓ６０）。
【０１４０】
Ｓ６０でパワーセーブモードではないと判定された場合（Ｓ６０のＮ）には、モーター駆動制御回路１８はステップモーター１９を１ステップ駆動して指針４を１秒分動かす（Ｓ２８）。
【０１４１】
次に、計時カウンター１３は計時カウンター１３の秒カウンターが６０秒に達し、分カウンターをカウントアップする分桁上げが行われたか否かを判定する（Ｓ３０）。ここで、分桁上げが行われなかった場合、Ｓ２０に戻り、上記の処理を繰り返す。
【０１４２】
一方、Ｓ３０で分桁上げが行われた場合、計時カウンター１３は表示制御回路１４に信号を送り、表示制御回路１４はＥＰＤ３で時刻表示を更新する（Ｓ６２）。すなわち、ＥＰＤ３は、図６に示すように、時および分のみが表示されているため、１分毎に表示を更新すればよい。このため、ＥＰＤ３は、分桁上げが行われた際に表示を更新するように制御される。
【０１４３】
次に、電池電圧検出回路３１は、二次電池２５の電源電圧ＶＤＤが閾値Ｖ１未満であるかを判定する（Ｓ６４）。ここで、電源電圧ＶＤＤが閾値Ｖ１以上であれば、Ｓ２０に戻って処理を続行する。
【０１４４】
一方、電源電圧ＶＤＤが閾値Ｖ１未満であれば、電池電圧検出回路３１は判定信号を表示停止モード制御回路３２に出力する。表示停止モード制御回路３２は、電源電圧ＶＤＤが閾値Ｖ１未満である判定信号を受信するとパワーセーブ移行信号を出力する。
【０１４５】
パワーセーブ移行信号を受信した表示制御回路１４は、表示モードが第２モードに切り替わったと判断して、図６の右上の電子時計１Ｂに示すように、ＥＰＤ３に電池電圧低下を意味する「ＢＡＴＴ  ＬＯＷ」を表示する（Ｓ６６）。
【０１４６】
ここで再びＳ６０に戻ると、電子時計１Ｂの動作モードがパワーセーブモード（Ｓ６０のＹ）であった場合は、停止時間カウンター２３のカウントアップが行われる（Ｓ２６）。すなわち、パワーセーブモード中は、指針４の運針は行われず、その運針が停止している時間が停止時間カウンター２３で計測される。
【０１４７】
次に、電池電圧検出回路３１は、二次電池２５の電源電圧ＶＤＤが閾値Ｖ１以上であるかを判定してもよい。しかし、Ｓ７４において閾値はＳ６４で用いたＶ１ではなく、ノイズの影響を避けるためにＶ１にヒステリシスを持たせたＶ１＋Ａであることが好ましい（Ｓ７４）。なお、Ａは所与の電圧値であり、電子時計１Ｂを構成するシステムにより定められる。
【０１４８】
電源電圧ＶＤＤが閾値Ｖ１＋Ａ以上であれば（Ｓ７４のＹ）、電池電圧検出回路３１は判定信号を表示停止モード制御回路３２に出力する。表示停止モード制御回路３２は、電源電圧ＶＤＤが閾値Ｖ１＋Ａ以上である判定信号を受信すると通常表示モード復帰信号を出力する。
【０１４９】
そして、表示制御回路１４は、前記通常表示モード復帰信号を受け取り、表示モードがリセットモードＳＴＲであると判断し、ＥＰＤ３の全面を黒色表示（Ｓ７６）した後に、白色表示（Ｓ７８）して、画面をリセットする。
【０１５０】
その後、表示制御回路１４は、表示モードが第１モードＳＴ１であると判断し、図６のＳＴ１に含まれる電子時計１Ｂが示すように、ＥＰＤ３に、計時カウンター１３でカウントしている現在時刻を表示する（Ｓ１４）。
【０１５１】
また、通常表示モード復帰信号を受信したモーター駆動制御回路１８は、停止時間カウンター２３でカウントされた停止時間分だけステップモーター１９を送り駆動し、運針を停止していた指針４を、現在時刻を指示する位置まで移動する（Ｓ１６）。なお、停止時間カウンター２３は、Ｓ１６の処理が行われるとリセットされる。
【０１５２】
そして、電子時計１Ｂのパワーセーブモードは解除され（Ｓ８０）、以降、電子時計１Ｂは、Ｓ２０に戻って処理を続行する。
【０１５３】
一方、電源電圧ＶＤＤが閾値Ｖ１＋Ａ未満であれば（Ｓ７４のＮ）、停止時間カウンター２３で１０分の桁上げがあった場合には（Ｓ４６のＹ）、理由表示位置変更条件ＴＣ２を満たしたとして、表示制御回路１４はＥＰＤ３における視覚表現（例えばＢＡＴＴ  ＬＯＷ）の表示位置を変更する（Ｓ４９）。画面の焼き付き防止のためである。そして、Ｓ２０に戻り処理を繰り返す。なお、理由表示位置変更条件ＴＣ２は図６のＴＣ２Ａ、ＴＣ２Ｂに対応する。
【０１５４】
また、Ｓ４６において１０分の桁上げがなかった場合も（Ｓ４６のＮ）、Ｓ２０に戻り処理を繰り返す。
【０１５５】
３．第３実施形態
本発明の第３実施形態を図９〜図１１を参照にして説明する。なお、第１実施形態、第２実施形態と同様の構成については、同一符号を付して説明を省略し、相違する部分について説明する。
【０１５６】
図９は、本実施形態の電子時計１Ｃの図である。図９では第１、第２実施形態と異なり、第２モードＳＴ２における電子時計１Ｃは、温度が適正範囲でないことを示す視覚表現（例えばＣＯＬＤ）をＥＰＤ３に表示している。なお、図９では電子時計１Ｃが低温で使用されている状況を想定して「ＣＯＬＤ」と表示されているが、高温で使用されている場合には「ＨＯＴ」などの視覚表現が表示されてもよい。なお、リセットモードＳＴＲ（図６）を含んでいてもよい。
【０１５７】
図１０は、本実施形態における電子時計１Ｃのブロック図を表す。第３実施形態では、図１０に示すように、温度センサー４１、温度検出回路４２を設けている。なお、太陽電池２０、充電制御回路２４、二次電池２５等を有していてもよいが、本実施形態では、電源としては図示しない一次電池を用いているものとする。なお、発電検出回路２１、タイマー２２、電池電圧検出回路３１、表示停止モード制御回路３２を有していてもよいが、説明の都合上、図１０では省略してある。
【０１５８】
温度センサー４１は、電子時計１Ｃ、特にＥＰＤ３の温度を検出するセンサーである。従って、温度センサー４１により本発明の温度検出手段が構成される。
【０１５９】
温度検出回路４２は温度センサー４１で検出された温度が、所定の閾値を超えているか否かを判定し、表示制御回路１４に対してＥＰＤ表示停止移行信号および通常表示モード復帰信号を出力する。ＥＰＤ表示停止移行信号は、第１、第２実施形態におけるパワーセーブ移行信号に対応する。
【０１６０】
従って、第３実施形態では、制御手段は、表示制御回路１４、モーター駆動制御回路１８、停止時間カウンター２３、温度検出回路４２を備えて構成される。
【０１６１】
なお、温度検出回路４２は分周回路１２からの基準信号（例えば１Ｈｚ）が入力されるごとに駆動される。従って、温度検出処理は１秒間隔でサンプリング処理される。
【０１６２】
次に、電子時計１Ｃの制御方法に関し、図１１を用いて説明する。
【０１６３】
電子時計１Ｃは、まず分周回路１２から基準信号（例えば１Ｈｚ）の入力があったか、つまり秒カウントがあるかを判定する（Ｓ２０）。Ｓ２０で秒カウントがなかった場合は、Ｓ２０に戻り、処理が続行される。
【０１６４】
一方、Ｓ２０で秒カウントがあった場合、つまり基準信号が入力された場合、計時カウンター１３はカウントアップする（Ｓ２２）。
【０１６５】
また、基準信号はモーター駆動制御回路１８にも入力され、モーター駆動制御回路１８はステップモーター１９を１ステップ駆動して指針４を１秒分動かす（Ｓ２８）。
【０１６６】
次に、電子時計１Ｃは、ＥＰＤ３がＥＰＤ表示停止モードであるか否かを判定する（Ｓ９０）。ＥＰＤ表示停止モードは、前記パワーセーブモードと類似しているが、指針時計部５の運針を停止しない点で異なる電子時計１Ｃの動作モードである。
【０１６７】
Ｓ９０でＥＰＤ表示停止モードではないと判定された場合（Ｓ９０のＮ）には、計時カウンター１３は分桁上げが行われたか否かを判定する（Ｓ３０）。ここで、分桁上げが行われなかった場合、Ｓ２０に戻り、上記の処理を繰り返す。
【０１６８】
一方、Ｓ３０で分桁上げが行われた場合、計時カウンター１３は表示制御回路１４に信号を送り、表示制御回路１４はＥＰＤ３で時刻表示を更新する（Ｓ６２）。すなわち、ＥＰＤ３は、図９に示すように、時および分のみが表示されているため、１分毎に表示を更新すればよい。このため、ＥＰＤ３は、分桁上げが行われた際に表示を更新するように制御される。
【０１６９】
次に、温度検出回路４２は、温度センサー４１で測定された温度ｔが閾値ｔ１未満であるか（低温判定）又は温度ｔが閾値ｔ２よりも高いか（高温判定）を判定する（Ｓ９２）。ここで、温度ｔが閾値ｔ１以上であり、かつ閾値ｔ２以下であれば、Ｓ２０に戻って処理を続行する（Ｓ９２のＮ）。一例ではあるが、低温判定の閾値ｔ１は０度であり、高温判定の閾値ｔ２は約５０度である。
【０１７０】
一方、温度ｔが閾値ｔ１未満又は閾値ｔ２より高ければ、温度検出回路４２は表示制御回路１４に対してＥＰＤ表示停止移行信号を出力する（Ｓ９２のＹ）。
【０１７１】
ここでは、低温判定で設定温度範囲外であったとする。ＥＰＤ表示停止移行信号を受信した表示制御回路１４は、表示モードが第２モードに切り替わったと判断し、図９のＳＴ２が示す電子時計１Ｃのように、ＥＰＤ３に低温を意味する「ＣＯＬＤ」を表示する（Ｓ９４）。
【０１７２】
そして、電子時計１ＣはＥＰＤ表示停止モードに設定される（Ｓ９６）。ＥＰＤ表示停止モードでは、モーター駆動制御回路１８によるステップモーター１９の駆動はＥＰＤ表示停止モードにおいても実行され、指針４の運針は継続される。
【０１７３】
ここで再びＳ９０に戻ると、Ｓ９０でＥＰＤ表示停止モード（Ｓ９０のＹ）であった場合は、温度検出回路４２は、例えば、温度センサー４１で測定された温度ｔが閾値ｔ１以上かつｔ２以下であるかを判定する。ここで、前記判定において、低温側の閾値はｔ１ではなく、ノイズの影響を避けるためにｔ１にヒステリシスを持たせたｔ１＋Ａ１である方が好ましい。また、同様の理由から高温側の閾値はｔ２ではなく、ヒステリシスを持たせたｔ２―Ａ２である方が好ましい（Ｓ９８）。なお、Ａ１およびＡ２は所与の温度であり、電子時計１Ｃを構成するシステムにより定められる。
【０１７４】
温度ｔが閾値ｔ１＋Ａ１以上かつｔ２―Ａ２以下であれば（Ｓ９８のＹ）、温度検出回路４２は通常表示モード復帰信号を表示制御回路１４に出力する。
【０１７５】
そして、表示制御回路１４は、表示モードが第１モードＳＴ１であると判断して、図９のＳＴ１の電子時計１Ｃが示すように、ＥＰＤ３に、計時カウンター１３でカウントしている現在時刻を表示する（Ｓ１４）。
【０１７６】
そして、電子時計１ＣのＥＰＤ表示停止モードは解除され（Ｓ１００）、以降、電子時計１Ｃは、Ｓ２０に戻って処理を続行する。
【０１７７】
一方、温度ｔが閾値ｔ１＋Ａ１未満又は閾値ｔ２―Ａ２より高ければ（Ｓ９８のＮ）、停止時間カウンター２３で１０分の桁上げがあった場合には（Ｓ４６のＹ）、理由表示位置変更条件ＴＣ２を満たしたとして、表示制御回路１４はＥＰＤ３における視覚表現（例えばＣＯＬＤ）の表示位置を変更する（Ｓ１０１）。画面の焼き付き防止のためである。そして、Ｓ２０に戻り処理を繰り返す。なお、理由表示位置変更条件ＴＣ２は図９のＴＣ２Ａ、ＴＣ２Ｂに対応する。
【０１７８】
また、Ｓ４６において１０分の桁上げがなかった場合も（Ｓ４６のＮ）、Ｓ２０に戻り処理を繰り返す。
【０１７９】
４．その他
なお、前記各実施形態では、ＥＰＤ３に通常の表示を行わない理由を文字（メッセージ）で表示しているが、前記の通り、アイコンや図形、色彩、フラグといった視覚表現で表示してもよい。すなわち、ユーザーが運針の停止等の理由を把握できる内容を表示すればよい。
【０１８０】
また、前記各実施形態は、指針４とＥＰＤ３を備えるコンビネーション時計であったが、指針４が設けられておらず、ＥＰＤ３のみを備えるデジタル時計であってもよい。
【０１８１】
前記各実施形態では、ＥＰＤ３は、黒粒子および白粒子による白黒二粒子系の電気泳動が行われるものでもよいし、青白等の一粒子系の電気泳動を行っても良く、また、白黒以外の組み合わせでも構わない。
【０１８２】
そして、メモリー性の表示手段は、ＥＰＤ３に限定されず、他のメモリー性を有するディスプレイでもよい。例えば、ＥＣＤ（Electrochromic Display＝エレクトロクロミックディスプレイ）、強誘電性液晶ディスプレイ、コレステリック液晶ディスプレイ等でもよい。
【０１８３】
さらに、本発明の電子時計は、腕時計に限らず、置き時計、掛け時計、懐中時計などの
時計機能を有する機器に広く適用できる。
【０１８４】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１８５】
１Ａ…電子時計、１Ｂ…電子時計、１Ｃ…電子時計、２…ケース、３…ＥＰＤ（電気泳動表示装置）、４…指針、４Ａ…時針、４Ｂ…分針、４Ｃ…秒針、５…指針時計部、６…ボタン、７…ボタン、１１…発振回路、１２…分周回路、１３…計時カウンター、１４…表示制御回路、１５…スイッチ、１６…スイッチ、１７…時刻修正回路、１８…モーター駆動制御回路、１９…ステップモーター、２０…太陽電池、２１…発電検出回路、２２…タイマー、２３…停止時間カウンター、２４…充電制御回路、２５…二次電池、３１…電池電圧検出回路、３２…表示停止モード制御回路、４１…温度センサー、４２…温度検出回路、ＳＴ１…第１モード、ＳＴ２…第２モード、ＳＴＲ…リセットモード
【図１】
2011064554.tif 000003
【図２】
2011064554.tif 000004
【図３】
2011064554.tif 000005
【図４】
2011064554.tif 000006
【図５】
2011064554.tif 000007
【図６】
2011064554.tif 000008
【図７】
2011064554.tif 000009
【図８】
2011064554.tif 000010
【図９】
2011064554.tif 000011
【図１０】
2011064554.tif 000012
【図１１】
2011064554.tif 000013
【図１２】
2011064554.tif 000014